(57)【要約】【課題】本発明は高強度の安全靴を開示した。    【解決手段】正面視で左側に電力を貯蔵できる電池があり、右側にスタンドがある高強度の安全靴は、靴を含み、前記靴の中には動力チャンバが設置され、前記動力チャンバの右壁の中には発電チャンバが設置され、前記電池が前記発電チャンバの右壁の中に固定的に設置され、本発明は構成が簡単で、操作が便利で、メインテナンスが便利で、該設備が歩く過程の中で、人の足が曲がることに便利を与え、歩く時の快適さを上げ、且つぶつかる時に一体式の防護を形成でき、防護の強度を上げ、そのため、該設備は比較的に高い使用価値と普及価値を有する。【選択図】図１
2020189071.tif 000002
【特許請求の範囲】
【請求項１】
正面視で、左側に電力を貯蔵できる電池があり、右側にスタンドがある高強度の安全靴は、靴を含み、前記靴の中には動力チャンバが設置され、前記動力チャンバの右壁の中には発電チャンバが設置され、前記電池が前記発電チャンバの右壁の中に固定的に設置され、前記発電チャンバの中には電力を生じる発電装置が設置され、前記動力チャンバの中には、前記発電装置を駆動して回転させ、更に前記発電装置に電気エネルギーを生じさせることができる動力装置が設置され、前記靴の中には十組の前記スタンドが配列されるように設置され、前記スタンドの中には収納チャンバが設置され、前記収納チャンバの中には上下対称的に、且つスライドできるロックラックが設置され、前記スタンドには隣り合った前記スタンドの中の前記ロックラックを連結できる下ロック溝が設置され、前記収納チャンバの中には前記ロックラックを駆動して左右にスライドさせるロック装置が設置され、更に十組の前記スタンドを結んで一体になり、全体の構造の強度を上げ、前記収納チャンバの頂壁の中には駆動チャンバが設置され、前記駆動チャンバの中には前記ロック装置を駆動して作動させることができる駆動装置が設置され、前記駆動チャンバの頂壁の中には触発チャンバが設置され、前記触発チャンバの中には重い物がぶつかる状態のあるかどうかを測ることができる触発装置が設置されていることを特徴とする高強度の安全靴。
【請求項２】
前記動力装置は前記動力チャンバの中の上下両側壁の中に設置されたスライド板を含み、前記スライド板のうち前記動力チャンバに近接している一端には動力ラックが設置され、更に発電に必要な動力を提供し、前記動力チャンバの中には主動軸が設置され、前記主動軸の後端には前記動力ラックと噛み合っている主動ギヤが設置され、前記主動軸の前端には主動プーリが設置され、前記動力チャンバの中には従動軸が設置され、前記従動軸の後端には前記発電装置を駆動して回転させることができる発電ベベルギヤが設置され、前記従動軸の前端には従動プーリが設置され、前記従動プーリと前記主動プーリとの間には発電ベルトが伝動できるように設置され、前記発電装置は前記発電チャンバの中に設置された加速軸を含み、前記加速軸の外壁には前記動力チャンバの中に位置しており、且つ前記発電ベベルギヤと噛み合っている順方向ベベルギヤが設置され、更に前記加速軸を駆動して順方向へ回転させることができ、前記加速軸の外壁には前記動力チャンバの中に位置しており、且つ前記発電ベベルギヤと噛み合っている逆方向ベベルギヤが設置され、更に前記逆方向ベベルギヤを駆動して逆方向へ回転させることができ、前記加速軸の右端には前記発電チャンバの中に位置しているリングギヤが設置され、前記発電チャンバの中には発電軸が設置され、前記発電軸の左端には太陽ギヤが設置され、前記太陽ギヤと前記リングギヤとの間には遊星ギヤが伝動できるように設置され、前記発電軸の右端には磁力線を提供することができる永久磁石が設置され、前記発電チャンバの中にはコイルが設置されていることを特徴とする請求項１に記載の高強度の安全靴。
【請求項３】
前記駆動装置は前記駆動チャンバの中に設置された駆動軸を含み、前記駆動軸の底端は前記駆動チャンバの底壁の中に固定的に設置されたモータと動力が伝達できるように連結され、前記駆動軸の頂端には駆動ギヤが設置され、前記駆動チャンバの中には伝動軸が設置され、前記伝動軸の頂端には片方向ベベルギヤが設置され、前記伝動軸の底端には前記収納チャンバの中に位置している正ベベルギヤが設置され、前記伝動軸の外壁には前記駆動チャンバの中に位置しており、且つ前記駆動ギヤと噛み合っている従動ギヤが設置されていることを特徴とする請求項１に記載の高強度の安全靴。
【請求項４】
前記ロック装置は前記収納チャンバの中に設置され、且つ前記ロックラックを駆動して左右にスライドさせることができる往復ギヤを含み、前記収納チャンバの中には後端が前記往復ギヤと固定的に連結された往復軸が設置され、前記往復軸の前端には前記正ベベルギヤと噛み合っている副ベベルギヤが設置され、前記触発チャンバの底壁の中には回収チャンバが設置され、前記回収チャンバの底壁の中には収納溝が設置され、前記収納溝の中にはスライドできるロックブロックが設置され、前記収納溝の右壁の中には上ロック溝が設置され、更に隣り合った前記ロックブロックと連結し、更に隣り合った前記スタンドの上部を一体になるように固定し、前記ロックブロックのうち前記上ロック溝に近接している一端と前記収納溝のうち前記上ロック溝に近接している一端との間には圧力ばねが弾性を持つように設置され、前記駆動チャンバの中には収納軸が設置され、前記収納軸の前端には前記片方向ベベルギヤと噛み合っている従動ベベルギヤが設置され、更に前記収納軸を駆動して回転させ、前記収納軸の後端には第一リールが設置され、前記第一リールと前記ロックブロックとの間は収納ひもにより連結されていることを特徴とする請求項３に記載の高強度の安全靴。
【請求項５】
前記触発装置は前記触発チャンバの中に設置されたスライドできる触発板を含み、前記触発板と前記触発チャンバのうち前記動力チャンバに近接している片側端壁との間には復帰ばねが弾性を持つように設置され、前記触発板のうち前記触発チャンバに近接している一端には触発ラックが設置され、前記収納溝のうち前記触発チャンバに近接している側壁の中にはリミットチャンバが設置され、前記リミットチャンバの中には前記ロックブロックと引っかかるように連結されたスライドできるリミットブロックが設置され、更に前記ロックブロックのスライドを制限でき、前記リミットブロックのうち前記触発チャンバに近接している一端と前記リミットチャンバのうち前記触発チャンバに近接している一端との間には押圧ばねが弾性を持つように設置され、前記回収チャンバの中には触発軸が設置され、前記触発軸の後端には第二リールが設置され、前記第二リールと前記リミットブロックとの間はリミットひもにより連結され、更に前記リミットブロックを連動させて上下にスライドさせ、更に前記ロックブロックの左右にスライドすることを制御し、前記触発軸の前端には前記触発ラックと噛み合っている触れギヤが設置され、更に前記触発軸を駆動して回転させ、前記回収チャンバの中には第三リールが設置され、前記第三リールが前記リミットひもと連結され、前記上ロック溝の中にはスライドできる頂板が設置され、前記頂板のうち前記ロックブロックに近接している一端の壁の中には同期溝が設置され、前記同期溝の中には前記頂板と固定的に連結された同期ラックが設置され、前記同期ラックと前記同期溝との間には推しばねが弾性を持つように設置され、前記回収チャンバの中には前記同期ラックと噛み合っている同期ギヤが設置され、前記同期ギヤと前記第三リールとの間はベルトにより動力が伝達できるように連結されていることを特徴とする請求項３又は請求項４に記載の高強度の安全靴。
【発明の詳細な説明】
【技術分野】
【０００１】
本発明は労働保護用品分野を取り上げて、具体的には高強度の安全靴である。
【背景技術】
【０００２】
安全靴は足を保護する靴であり、しかし現有のほとんどの安全靴は靴の頂部に鉄板などの一体式のフレーム構造を装着し、履く過程の中で不便で履き心地がよくなく、しかも歩くことにも不便であり、労働者の足を傷つけ、そのため、本発明は履きやすく、快適に歩ける高強度の安全靴を設計することを目的とする。
【先行技術文献】
【特許文献】
【０００３】
【特許文献１】中国特許出願公開第１０６８２０４００号明細書
【発明の概要】
【発明が解決しようとする課題】
【０００４】
本発明は高強度の安全靴を提供し、従来技術における上記欠点を解消することを目的とする。
【課題を解決するための手段】
【０００５】
本発明の高強度の安全靴は正面視で左側に電力を貯蔵できる電池があり、右側にスタンドがある高強度の安全靴であり、本発明は靴を含み、前記靴の中には動力チャンバが設置され、前記動力チャンバの右壁の中には発電チャンバが設置され、前記電池が前記発電チャンバの右壁の中に固定的に設置され、前記発電チャンバの中には電力を生じる発電装置が設置され、前記動力チャンバの中には、前記発電装置を駆動して回転させ、更に前記発電装置に電気エネルギーを生じさせることができる動力装置が設置され、前記靴の中には十組の前記スタンドが配列されるように設置され、前記スタンドの中には収納チャンバが設置され、前記収納チャンバの中には上下対称的に、且つスライドできるロックラックが設置され、前記スタンドには隣り合った前記スタンドの中の前記ロックラックを連結できる下ロック溝が設置され、前記収納チャンバの中には前記ロックラックを駆動して左右にスライドさせるロック装置が設置され、更に十組の前記スタンドを結んで一体になり、全体の構造の強度を上げ、前記収納チャンバの頂壁の中には駆動チャンバが設置され、前記駆動チャンバの中には前記ロック装置を駆動して作動させることができる駆動装置が設置され、前記駆動チャンバの頂壁の中には触発チャンバが設置され、前記触発チャンバの中には重い物がぶつかる状態のあるかどうかを測ることができる触発装置が設置されている。
【０００６】
好ましくは、前記動力装置は前記動力チャンバの中の上下両側壁の中に設置されたスライド板を含み、前記スライド板のうち前記動力チャンバに近接している一端には動力ラックが設置され、更に発電に必要な動力を提供し、前記動力チャンバの中には主動軸が設置され、前記主動軸の後端には前記動力ラックと噛み合っている主動ギヤが設置され、前記主動軸の前端には主動プーリが設置され、前記動力チャンバの中には従動軸が設置され、前記従動軸の後端には前記発電装置を駆動して回転させることができる発電ベベルギヤが設置され、前記従動軸の前端には従動プーリが設置され、前記従動プーリと前記主動プーリとの間には発電ベルトが伝動できるように設置され、前記発電装置は前記発電チャンバの中に設置された加速軸を含み、前記加速軸の外壁には前記動力チャンバの中に位置しており、且つ前記発電ベベルギヤと噛み合っている順方向ベベルギヤが設置され、更に前記加速軸を駆動して順方向へ回転させることができ、前記加速軸の外壁には前記動力チャンバの中に位置しており、且つ前記発電ベベルギヤと噛み合っている逆方向ベベルギヤが設置され、更に前記逆方向ベベルギヤを駆動して逆方向へ回転させることができ、前記加速軸の右端には前記発電チャンバの中に位置しているリングギヤが設置され、前記発電チャンバの中には発電軸が設置され、前記発電軸の左端には太陽ギヤが設置され、前記太陽ギヤと前記リングギヤとの間には遊星ギヤが伝動できるように設置され、前記発電軸の右端には磁力線を提供することができる永久磁石が設置され、前記発電チャンバの中には電流を生じることができるコイルが設置されている。
【０００７】
好ましくは、前記駆動装置は前記駆動チャンバの中に設置された駆動軸を含み、前記駆動軸の底端は前記駆動チャンバの底壁の中に固定的に設置されたモータと動力が伝達できるように連結され、前記駆動軸の頂端には駆動ギヤが設置され、前記駆動チャンバの中には伝動軸が設置され、前記伝動軸の頂端には片方向ベベルギヤが設置され、前記伝動軸の底端には前記収納チャンバの中に位置している正ベベルギヤが設置され、前記伝動軸の外壁には前記駆動チャンバの中に位置しており、且つ前記駆動ギヤと噛み合っている従動ギヤが設置されている。
【０００８】
好ましくは、前記ロック装置は前記収納チャンバの中に設置され、且つ前記ロックラックを駆動して左右にスライドさせることができる往復ギヤを含み、前記収納チャンバの中には後端が前記往復ギヤと固定的に連結された往復軸が設置され、前記往復軸の前端には前記正ベベルギヤと噛み合っている副ベベルギヤが設置され、前記触発チャンバの底壁の中には回収チャンバが設置され、前記回収チャンバの底壁の中には収納溝が設置され、前記収納溝の中にはスライドできるロックブロックが設置され、前記収納溝の右壁の中には上ロック溝が設置され、更に隣り合った前記ロックブロックと連結し、更に隣り合った前記スタンドの上部を一体になるように固定し、前記ロックブロックのうち前記上ロック溝に近接している一端と前記収納溝のうち前記上ロック溝に近接している一端との間には圧力ばねが弾性を持つように設置され、前記駆動チャンバの中には収納軸が設置され、前記収納軸の前端には前記片方向ベベルギヤと噛み合っている従動ベベルギヤが設置され、更に前記収納軸を駆動して回転させ、前記収納軸の後端には第一リールが設置され、前記第一リールと前記ロックブロックとの間は収納ひもにより連結され、更に前記ロックブロックを駆動して左右にスライドさせる。
【０００９】
好ましくは、前記触発装置は前記触発チャンバの中に設置されたスライドできる触発板を含み、前記触発板と前記触発チャンバのうち前記動力チャンバに近接している片側端壁との間には復帰ばねが弾性を持つように設置され、前記触発板のうち前記触発チャンバに近接している一端には触発ラックが設置され、前記収納溝のうち前記触発チャンバに近接している側壁の中にはリミットチャンバが設置され、前記リミットチャンバの中には前記ロックブロックと引っかかるように連結されたスライドできるリミットブロックが設置され、更に前記ロックブロックのスライドを制限でき、前記リミットブロックのうち前記触発チャンバに近接している一端と前記リミットチャンバのうち前記触発チャンバに近接している一端との間には押圧ばねが弾性を持つように設置され、前記回収チャンバの中には触発軸が設置され、前記触発軸の後端には第二リールが設置され、前記第二リールと前記リミットブロックとの間はリミットひもにより連結され、更に前記リミットブロックを連動させて上下にスライドさせ、更に前記ロックブロックの左右にスライドすることを制御し、前記触発軸の前端には前記触発ラックと噛み合っている触れギヤが設置され、更に前記触発軸を駆動して回転させ、前記回収チャンバの中には第三リールが設置され、前記第三リールが前記リミットひもと連結され、前記上ロック溝の中にはスライドできる頂板が設置され、前記頂板のうち前記ロックブロックに近接している一端の壁の中には同期溝が設置され、前記同期溝の中には前記頂板と固定的に連結された同期ラックが設置され、前記同期ラックと前記同期溝との間には推しばねが弾性を持つように設置され、前記回収チャンバの中には前記同期ラックと噛み合っている同期ギヤが設置され、前記同期ギヤと前記第三リールとの間はベルトにより動力が伝達できるように連結され、更に十組の前記スタンドの中のロック装置が同時に作動することを保証し、タイムリーに労働者の足を保護する。
【発明の効果】
【００１０】
本発明の有益効果は：本発明は構成が簡単で、操作が便利で、メインテナンスが便利で、該設備が歩く過程の中で、人の足が曲がることに便利を与え、歩く時の快適さを上げ、且つぶつかる時に一体式の防護を形成でき、防護の強度を上げ、そのため、該設備は比較的に高い使用価値と普及価値を有する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の高強度の安全靴の全体構成模式図
【図２】図２は図１のＡの構成模式図
【図３】図３は図１のＢの構成模式図
【図４】図４は図１のＣの構成模式図
【発明を実施するための形態】
【００１３】
図１〜４に示すように、正面視で左側に電力を貯蔵できる電池１３があり、右側にスタンド１４がある高強度の安全靴は、靴１１を含み、前記靴１１の中には動力チャンバ３１が設置され、前記動力チャンバ３１の右壁の中には発電チャンバ３９が設置され、前記電池１３が前記発電チャンバ３９の右壁の中に固定的に設置され、前記発電チャンバ３９の中には電力を生じる発電装置１００が設置され、前記動力チャンバ３１の中には、前記発電装置１００を駆動して回転させ、更に前記発電装置１００に電気エネルギーを生じさせることができる動力装置２００が設置され、前記靴１１の中には十組の前記スタンド１４が配列されるように設置され、前記スタンド１４の中には収納チャンバ６２が設置され、前記収納チャンバ６２の中には上下対称的に、且つスライドできるロックラック７６が設置され、前記スタンド１４には隣り合った前記スタンド１４の中の前記ロックラック７６を連結できる下ロック溝７７が設置され、前記収納チャンバ６２の中には前記ロックラック７６を駆動して左右にスライドさせるロック装置３００が設置され、更に十組の前記スタンド１４を結んで一体になり、全体の構造の強度を上げ、前記収納チャンバ６２の頂壁の中には駆動チャンバ６６が設置され、前記駆動チャンバ６６の中には前記ロック装置３００を駆動して作動させることができる駆動装置４００が設置され、前記駆動チャンバ６６の頂壁の中には触発チャンバ４８が設置され、前記触発チャンバ４８の中には重い物がぶつかる状態のあるかどうかを測ることができる触発装置５００が設置されている。    
【００１４】
有益的には、前記動力装置２００は前記動力チャンバ３１の中の上下両側壁の中に設置されたスライド板１５を含み、前記スライド板１５のうち前記動力チャンバ３１に近接している一端には動力ラック１６が設置され、更に発電に必要な動力を提供し、前記動力チャンバ３１の中には主動軸１９が設置され、前記主動軸１９の後端には前記動力ラック１６と噛み合っている主動ギヤ１７が設置され、前記主動軸１９の前端には主動プーリ１８が設置され、前記動力チャンバ３１の中には従動軸３５が設置され、前記従動軸３５の後端には前記発電装置１００を駆動して回転させることができる発電ベベルギヤ３３が設置され、前記従動軸３５の前端には従動プーリ３４が設置され、前記従動プーリ３４と前記主動プーリ１８との間には発電ベルト３０が伝動できるように設置され、前記発電装置１００は前記発電チャンバ３９の中に設置された加速軸４４を含み、前記加速軸４４の外壁には前記動力チャンバ３１の中に位置しており、且つ前記発電ベベルギヤ３３と噛み合っている順方向ベベルギヤ３２が設置され、更に前記加速軸４４を駆動して順方向へ回転させることができ、前記加速軸４４の外壁には前記動力チャンバ３１の中に位置しており、且つ前記発電ベベルギヤ３３と噛み合っている逆方向ベベルギヤ３６が設置され、更に前記逆方向ベベルギヤ３６を駆動して逆方向へ回転させることができ、前記加速軸４４の右端には前記発電チャンバ３９の中に位置しているリングギヤ４１が設置され、前記発電チャンバ３９の中には発電軸４０が設置され、前記発電軸４０の左端には太陽ギヤ４３が設置され、前記太陽ギヤ４３と前記リングギヤ４１との間には遊星ギヤ４２が伝動できるように設置され、前記発電軸４０の右端には磁力線を提供することができる永久磁石３８が設置され、前記発電チャンバ３９の中には電流を生じることができるコイル３７が設置されている。
【００１５】
有益的には、前記駆動装置４００は前記駆動チャンバ６６の中に設置された駆動軸６８を含み、前記駆動軸６８の底端は前記駆動チャンバ６６の底壁の中に固定的に設置されたモータ６９と動力が伝達できるように連結され、前記駆動軸６８の頂端には駆動ギヤ６７が設置され、前記駆動チャンバ６６の中には伝動軸８５が設置され、前記伝動軸８５の頂端には片方向ベベルギヤ７１が設置され、前記伝動軸８５の底端には前記収納チャンバ６２の中に位置している正ベベルギヤ７８が設置され、前記伝動軸８５の外壁には前記駆動チャンバ６６の中に位置しており、且つ前記駆動ギヤ６７と噛み合っている従動ギヤ７０が設置されている。
【００１６】
有益的には、前記ロック装置３００は前記収納チャンバ６２の中に設置され、且つ前記ロックラック７６を駆動して左右にスライドさせることができる往復ギヤ７９を含み、前記収納チャンバ６２の中には後端が前記往復ギヤ７９と固定的に連結された往復軸８１が設置され、前記往復軸８１の前端には前記正ベベルギヤ７８と噛み合っている副ベベルギヤ８０が設置され、前記触発チャンバ４８の底壁の中には回収チャンバ５２が設置され、前記回収チャンバ５２の底壁の中には収納溝８３が設置され、前記収納溝８３の中にはスライドできるロックブロック５７が設置され、前記収納溝８３の右壁の中には上ロック溝５８が設置され、更に隣り合った前記ロックブロック５７と連結し、更に隣り合った前記スタンド１４の上部を一体になるように固定し、前記ロックブロック５７のうち前記上ロック溝５８に近接している一端と前記収納溝８３のうち前記上ロック溝５８に近接している一端との間には圧力ばね８４が弾性を持つように設置され、前記駆動チャンバ６６の中には収納軸７３が設置され、前記収納軸７３の前端には前記片方向ベベルギヤ７１と噛み合っている従動ベベルギヤ７２が設置され、更に前記収納軸７３を駆動して回転させ、前記収納軸７３の後端には第一リール７４が設置され、前記第一リール７４と前記ロックブロック５７との間は収納ひも７５により連結され、更に前記ロックブロック５７を駆動して左右にスライドさせる。
【００１７】
有益的には、前記触発装置５００は前記触発チャンバ４８の中に設置されたスライドできる触発板４５を含み、前記触発板４５と前記触発チャンバ４８のうち前記動力チャンバ３１に近接している片側端壁との間には復帰ばね４７が弾性を持つように設置され、前記触発板４５のうち前記触発チャンバ４８に近接している一端には触発ラック４６が設置され、前記収納溝８３のうち前記触発チャンバ４８に近接している側壁の中にはリミットチャンバ５５が設置され、前記リミットチャンバ５５の中には前記ロックブロック５７と引っかかるように連結されたスライドできるリミットブロック５６が設置され、更に前記ロックブロック５７のスライドを制限でき、前記リミットブロック５６のうち前記触発チャンバ４８に近接している一端と前記リミットチャンバ５５のうち前記触発チャンバ４８に近接している一端との間には押圧ばね５４が弾性を持つように設置され、前記回収チャンバ５２の中には触発軸５０が設置され、前記触発軸５０の後端には第二リール５１が設置され、前記第二リール５１と前記リミットブロック５６との間はリミットひも５３により連結され、更に前記リミットブロック５６を連動させて上下にスライドさせ、更に前記ロックブロック５７の左右にスライドすることを制御し、前記触発軸５０の前端には前記触発ラック４６と噛み合っている触れギヤ４９が設置され、更に前記触発軸５０を駆動して回転させ、前記回収チャンバ５２の中には第三リール６４が設置され、前記第三リール６４が前記リミットひも５３と連結され、前記上ロック溝５８の中にはスライドできる頂板５９が設置され、前記頂板５９のうち前記ロックブロック５７に近接している一端の壁の中には同期溝８６が設置され、前記同期溝８６の中には前記頂板５９と固定的に連結された同期ラック６０が設置され、前記同期ラック６０と前記同期溝８６との間には推しばね６１が弾性を持つように設置され、前記回収チャンバ５２の中には前記同期ラック６０と噛み合っている同期ギヤ６３が設置され、前記同期ギヤ６３と前記第三リール６４との間はベルト６５により動力が伝達できるように連結され、更に十組の前記スタンド１４の中のロック装置３００が同時に作動することを保証し、タイムリーに労働者の足を保護する。
【００１８】
初期状態の時、ロックブロック５７が完全に収納溝８３の中に位置しており、ロックラック７６が完全に収納チャンバ６２の中に位置している。
【００１９】
該設備を使用する時、人が歩く過程の中で、スライド板１５が上下にスライドして更に動力ラック１６により主動ギヤ１７を連動させて回転させ、更に主動ギヤ１７が主動軸１９と、主動プーリ１８と、従動プーリ３４と、従動軸３５と、発電ベベルギヤ３３と、順方向ベベルギヤ３２又は逆方向ベベルギヤ３６と、加速軸４４と、リングギヤ４１と、遊星ギヤ４２と、太陽ギヤ４３と、発電軸４０とにより永久磁石３８を連動させて回転させ、更に永久磁石３８とコイル３７とが相対運動して電気エネルギーを生じて電池１３の中に貯蔵する。
【００２０】
人の足が衝撃を受けた時、触発板４５が下方へスライドし、更に触発ラック４６により触れギヤ４９を連動させて回転させ、更に触発軸５０と第二リール５１とによりリミットブロック５６を連動させて上方へスライドさせ、且つロックブロック５７との連結から離脱させ、ロックブロック５７が収納溝８３から離れた方向へスライドし、隣り合ったスタンド１４の中の上ロック溝５８と連結され、更に頂板５９を推し動かして同期溝８６に近接した方向へスライドさせ、更に同期ギヤ６３とベルト６５とにより第三リール６４を連動させて回転させ、更にリミットひも５３により隣り合ったスタンド１４の中のリミットブロック５６を連動させて上方へスライドさせ、更に隣り合ったスタンド１４の中のロックブロック５７がスライドし、同時に、モータ６９が順方向へ作動して駆動軸６８と、駆動ギヤ６７と、従動ギヤ７０と、伝動軸８５と、正ベベルギヤ７８と、副ベベルギヤ８０と、往復軸８１と、往復ギヤ７９とによりロックラック７６を連動させて収納チャンバ６２から離れた方向へスライドさせ、隣り合ったスタンド１４の中の下ロック溝７７と連結させる。
【００２１】
人が防護を解除する時、モータ６９が逆方向へ作動して且つ駆動軸６８と、駆動ギヤ６７と、従動ギヤ７０と、伝動軸８５と、正ベベルギヤ７８と、副ベベルギヤ８０と、往復軸８１と、往復ギヤ７９とによりロックラック７６を連動させて収納チャンバ６２に近接した方向へスライドさせ、同時に、伝動軸８５が従動ギヤ７０と、従動ベベルギヤ７２と、収納軸７３と、第一リール７４と、収納ひも７５とによりロックブロック５７を連動させて収納溝８３に近接した方向へスライドさせる。
【００２２】
本発明の有益効果は：本発明は構成が簡単で、操作が便利で、メインテナンスが便利で、該設備が歩く過程の中で、人の足が曲がることに便利を与え、歩く時の快適さを上げ、且つぶつかる時に一体式の防護を形成でき、防護の強度を上げ、そのため、該設備は比較的に高い使用価値と普及価値を有する。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020189071.tif 000003
【図２】
2020189071.tif 000004
【図３】
2020189071.tif 000005
【図４】
2020189071.tif 000006
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
正面視で、左側に電力を貯蔵できる電池があり、右側にスタンドがある高強度の安全靴は、靴を含み、前記靴の中には動力チャンバが設置され、前記動力チャンバの右壁の中には発電チャンバが設置され、前記電池が前記発電チャンバの右壁の中に固定的に設置され、前記発電チャンバの中には電力を生じる発電装置が設置され、前記動力チャンバの中には、前記発電装置を駆動して回転させ、更に前記発電装置に電気エネルギーを生じさせることができる動力装置が設置され、前記靴の靴底及び脚の甲の部分にはそれぞれ十組の前記スタンドが設置され、前記スタンドの中には収納チャンバが設置され、前記収納チャンバの中には上下対称的に、且つスライドできるロックラックが設置され、前記スタンドには隣り合った前記スタンドの中の前記ロックラックを連結できる下ロック溝が設置され、前記収納チャンバの中には前記ロックラックを駆動して左右にスライドさせるロック装置が設置され、更に十組の前記スタンドを結んで一体になり、全体の構造の強度を上げ、前記収納チャンバの頂壁の中には駆動チャンバが設置され、前記駆動チャンバの中には前記ロック装置を駆動して作動させることができる駆動装置が設置され、前記駆動チャンバの頂壁の中には触発チャンバが設置され、前記靴の脚の甲にある前記触発チャンバの中には重い物がぶつかる状態のあるかどうかを測ることができる触発装置が設置され、
前記触発装置は前記触発チャンバの中に設置されたスライドできる触発板を含み、前記触発板と前記触発チャンバのうち前記動力チャンバに近接している片側端壁との間には復帰ばねが弾性を持つように設置され、前記触発板のうち前記触発チャンバに近接している一端には触発ラックが設置され、前記収納溝のうち前記触発チャンバに近接している側壁の中にはリミットチャンバが設置され、前記リミットチャンバの中には前記ロックブロックと引っかかるように連結されたスライドできるリミットブロックが設置され、更に前記ロックブロックのスライドを制限でき、前記リミットブロックのうち前記触発チャンバに近接している一端と前記リミットチャンバのうち前記触発チャンバに近接している一端との間には押圧ばねが弾性を持つように設置され、前記回収チャンバの中には触発軸が設置され、前記触発軸の後端には第二リールが設置され、前記第二リールと前記リミットブロックとの間はリミットひもにより連結され、更に前記リミットブロックを連動させて上下にスライドさせ、更に前記ロックブロックの左右にスライドすることを制御し、前記触発軸の前端には前記触発ラックと噛み合っている触れギヤが設置され、更に前記触発軸を駆動して回転させ、前記回収チャンバの中には第三リールが設置され、前記第三リールが前記リミットひもと連結され、前記上ロック溝の中にはスライドできる頂板が設置され、前記頂板のうち前記ロックブロックに近接している一端の壁の中には同期溝が設置され、前記同期溝の中には前記頂板と固定的に連結された同期ラックが設置され、前記同期ラックと前記同期溝との間には推しばねが弾性を持つように設置され、前記回収チャンバの中には前記同期ラックと噛み合っている同期ギヤが設置され、前記同期ギヤと前記第三リールとの間はベルトにより動力が伝達できるように連結されていることを特徴とする高強度の安全靴。
【請求項２】
前記動力装置は前記動力チャンバの中の上下両側壁の中に設置されたスライド板を含み、前記スライド板のうち前記動力チャンバに近接している一端には動力ラックが設置され、更に発電に必要な動力を提供し、前記動力チャンバの中には主動軸が設置され、前記主動軸の後端には前記動力ラックと噛み合っている主動ギヤが設置され、前記主動軸の前端には主動プーリが設置され、前記動力チャンバの中には従動軸が設置され、前記従動軸の後端には前記発電装置を駆動して回転させることができる発電ベベルギヤが設置され、前記従動軸の前端には従動プーリが設置され、前記従動プーリと前記主動プーリとの間には発電ベルトが伝動できるように設置され、前記発電装置は前記発電チャンバの中に設置された加速軸を含み、前記加速軸の外壁には前記動力チャンバの中に位置しており、且つ前記発電ベベルギヤと噛み合っている順方向ベベルギヤが設置され、更に前記加速軸を駆動して順方向へ回転させることができ、前記加速軸の外壁には前記動力チャンバの中に位置しており、且つ前記発電ベベルギヤと噛み合っている逆方向ベベルギヤが設置され、更に前記逆方向ベベルギヤを駆動して逆方向へ回転させることができ、前記加速軸の右端には前記発電チャンバの中に位置しているリングギヤが設置され、前記発電チャンバの中には発電軸が設置され、前記発電軸の左端には太陽ギヤが設置され、前記太陽ギヤと前記リングギヤとの間には遊星ギヤが伝動できるように設置され、前記発電軸の右端には磁力線を提供することができる永久磁石が設置され、前記発電チャンバの中にはコイルが設置されていることを特徴とする請求項１に記載の高強度の安全靴。
【請求項３】
前記駆動装置は前記駆動チャンバの中に設置された駆動軸を含み、前記駆動軸の底端は前記駆動チャンバの底壁の中に固定的に設置されたモータと動力が伝達できるように連結され、前記駆動軸の頂端には駆動ギヤが設置され、前記駆動チャンバの中には伝動軸が設置され、前記伝動軸の頂端には片方向ベベルギヤが設置され、前記伝動軸の底端には前記収納チャンバの中に位置している正ベベルギヤが設置され、前記伝動軸の外壁には前記駆動チャンバの中に位置しており、且つ前記駆動ギヤと噛み合っている従動ギヤが設置されていることを特徴とする請求項１に記載の高強度の安全靴。
【請求項４】
前記ロック装置は前記収納チャンバの中に設置され、且つ前記ロックラックを駆動して左右にスライドさせることができる往復ギヤを含み、前記収納チャンバの中には後端が前記往復ギヤと固定的に連結された往復軸が設置され、前記往復軸の前端には前記正ベベルギヤと噛み合っている副ベベルギヤが設置され、前記触発チャンバの底壁の中には回収チャンバが設置され、前記回収チャンバの底壁の中には収納溝が設置され、前記収納溝の中にはスライドできるロックブロックが設置され、前記収納溝の右壁の中には上ロック溝が設置され、更に隣り合った前記ロックブロックと連結し、更に隣り合った前記スタンドの上部を一体になるように固定し、前記ロックブロックのうち前記上ロック溝に近接している一端と前記収納溝のうち前記上ロック溝に近接している一端との間には圧力ばねが弾性を持つように設置され、前記駆動チャンバの中には収納軸が設置され、前記収納軸の前端には前記片方向ベベルギヤと噛み合っている従動ベベルギヤが設置され、更に前記収納軸を駆動して回転させ、前記収納軸の後端には第一リールが設置され、前記第一リールと前記ロックブロックとの間は収納ひもにより連結されていることを特徴とする請求項３に記載の高強度の安全靴。
【手続補正２】
【補正対象書類名】明細書
【補正対象項目名】全文
【補正方法】変更
【補正の内容】
【発明の詳細な説明】
【技術分野】
【０００１】
本発明は労働保護用品分野を取り上げて、具体的には高強度の安全靴である。
【背景技術】
【０００２】
安全靴は足を保護する靴であり、しかし現有のほとんどの安全靴は靴の頂部に鉄板などの一体式のフレーム構造を装着し、履く過程の中で不便で履き心地がよくなく、しかも歩くことにも不便であり、労働者の足を傷つけ、そのため、本発明は履きやすく、快適に歩ける高強度の安全靴を設計することを目的とする。
【先行技術文献】
【特許文献】
【０００３】
【特許文献１】中国特許出願公開第１０６８２０４００号明細書
【発明の概要】
【発明が解決しようとする課題】
【０００４】
本発明は高強度の安全靴を提供し、従来技術における上記欠点を解消することを目的とする。
【課題を解決するための手段】
【０００５】
本発明の高強度の安全靴は正面視で左側に電力を貯蔵できる電池があり、右側にスタンドがある高強度の安全靴であり、本発明は靴を含み、前記靴の中には動力チャンバが設置され、前記動力チャンバの右壁の中には発電チャンバが設置され、前記電池が前記発電チャンバの右壁の中に固定的に設置され、前記発電チャンバの中には電力を生じる発電装置が設置され、前記動力チャンバの中には、前記発電装置を駆動して回転させ、更に前記発電装置に電気エネルギーを生じさせることができる動力装置が設置され、前記靴の靴底及び脚の甲の部分にはそれぞれ十組の前記スタンドが設置され、前記スタンドの中には収納チャンバが設置され、前記収納チャンバの中には上下対称的に、且つスライドできるロックラックが設置され、前記スタンドには隣り合った前記スタンドの中の前記ロックラックを連結できる下ロック溝が設置され、前記収納チャンバの中には前記ロックラックを駆動して左右にスライドさせるロック装置が設置され、更に十組の前記スタンドを結んで一体になり、全体の構造の強度を上げ、前記収納チャンバの頂壁の中には駆動チャンバが設置され、前記駆動チャンバの中には前記ロック装置を駆動して作動させることができる駆動装置が設置され、前記駆動チャンバの頂壁の中には触発チャンバが設置され、前記靴の脚の甲にある前記触発チャンバの中には重い物がぶつかる状態のあるかどうかを測ることができる触発装置が設置されている。
【０００６】
好ましくは、前記動力装置は前記動力チャンバの中の上下両側壁の中に設置されたスライド板を含み、前記スライド板のうち前記動力チャンバに近接している一端には動力ラックが設置され、更に発電に必要な動力を提供し、前記動力チャンバの中には主動軸が設置され、前記主動軸の後端には前記動力ラックと噛み合っている主動ギヤが設置され、前記主動軸の前端には主動プーリが設置され、前記動力チャンバの中には従動軸が設置され、前記従動軸の後端には前記発電装置を駆動して回転させることができる発電ベベルギヤが設置され、前記従動軸の前端には従動プーリが設置され、前記従動プーリと前記主動プーリとの間には発電ベルトが伝動できるように設置され、前記発電装置は前記発電チャンバの中に設置された加速軸を含み、前記加速軸の外壁には前記動力チャンバの中に位置しており、且つ前記発電ベベルギヤと噛み合っている順方向ベベルギヤが設置され、更に前記加速軸を駆動して順方向へ回転させることができ、前記加速軸の外壁には前記動力チャンバの中に位置しており、且つ前記発電ベベルギヤと噛み合っている逆方向ベベルギヤが設置され、更に前記逆方向ベベルギヤを駆動して逆方向へ回転させることができ、前記加速軸の右端には前記発電チャンバの中に位置しているリングギヤが設置され、前記発電チャンバの中には発電軸が設置され、前記発電軸の左端には太陽ギヤが設置され、前記太陽ギヤと前記リングギヤとの間には遊星ギヤが伝動できるように設置され、前記発電軸の右端には磁力線を提供することができる永久磁石が設置され、前記発電チャンバの中には電流を生じることができるコイルが設置されている。
【０００７】
好ましくは、前記駆動装置は前記駆動チャンバの中に設置された駆動軸を含み、前記駆動軸の底端は前記駆動チャンバの底壁の中に固定的に設置されたモータと動力が伝達できるように連結され、前記駆動軸の頂端には駆動ギヤが設置され、前記駆動チャンバの中には伝動軸が設置され、前記伝動軸の頂端には片方向ベベルギヤが設置され、前記伝動軸の底端には前記収納チャンバの中に位置している正ベベルギヤが設置され、前記伝動軸の外壁には前記駆動チャンバの中に位置しており、且つ前記駆動ギヤと噛み合っている従動ギヤが設置されている。
【０００８】
好ましくは、前記ロック装置は前記収納チャンバの中に設置され、且つ前記ロックラックを駆動して左右にスライドさせることができる往復ギヤを含み、前記収納チャンバの中には後端が前記往復ギヤと固定的に連結された往復軸が設置され、前記往復軸の前端には前記正ベベルギヤと噛み合っている副ベベルギヤが設置され、前記触発チャンバの底壁の中には回収チャンバが設置され、前記回収チャンバの底壁の中には収納溝が設置され、前記収納溝の中にはスライドできるロックブロックが設置され、前記収納溝の右壁の中には上ロック溝が設置され、更に隣り合った前記ロックブロックと連結し、更に隣り合った前記スタンドの上部を一体になるように固定し、前記ロックブロックのうち前記上ロック溝に近接している一端と前記収納溝のうち前記上ロック溝に近接している一端との間には圧力ばねが弾性を持つように設置され、前記駆動チャンバの中には収納軸が設置され、前記収納軸の前端には前記片方向ベベルギヤと噛み合っている従動ベベルギヤが設置され、更に前記収納軸を駆動して回転させ、前記収納軸の後端には第一リールが設置され、前記第一リールと前記ロックブロックとの間は収納ひもにより連結され、更に前記ロックブロックを駆動して左右にスライドさせる。
【０００９】
好ましくは、前記触発装置は前記触発チャンバの中に設置されたスライドできる触発板を含み、前記触発板と前記触発チャンバのうち前記動力チャンバに近接している片側端壁との間には復帰ばねが弾性を持つように設置され、前記触発板のうち前記触発チャンバに近接している一端には触発ラックが設置され、前記収納溝のうち前記触発チャンバに近接している側壁の中にはリミットチャンバが設置され、前記リミットチャンバの中には前記ロックブロックと引っかかるように連結されたスライドできるリミットブロックが設置され、更に前記ロックブロックのスライドを制限でき、前記リミットブロックのうち前記触発チャンバに近接している一端と前記リミットチャンバのうち前記触発チャンバに近接している一端との間には押圧ばねが弾性を持つように設置され、前記回収チャンバの中には触発軸が設置され、前記触発軸の後端には第二リールが設置され、前記第二リールと前記リミットブロックとの間はリミットひもにより連結され、更に前記リミットブロックを連動させて上下にスライドさせ、更に前記ロックブロックの左右にスライドすることを制御し、前記触発軸の前端には前記触発ラックと噛み合っている触れギヤが設置され、更に前記触発軸を駆動して回転させ、前記回収チャンバの中には第三リールが設置され、前記第三リールが前記リミットひもと連結され、前記上ロック溝の中にはスライドできる頂板が設置され、前記頂板のうち前記ロックブロックに近接している一端の壁の中には同期溝が設置され、前記同期溝の中には前記頂板と固定的に連結された同期ラックが設置され、前記同期ラックと前記同期溝との間には推しばねが弾性を持つように設置され、前記回収チャンバの中には前記同期ラックと噛み合っている同期ギヤが設置され、前記同期ギヤと前記第三リールとの間はベルトにより動力が伝達できるように連結され、更に十組の前記スタンドの中のロック装置が同時に作動することを保証し、タイムリーに労働者の足を保護する。
【発明の効果】
【００１０】
本発明の有益効果は：本発明は構成が簡単で、操作が便利で、メインテナンスが便利で、該設備が歩く過程の中で、人の足が曲がることに便利を与え、歩く時の快適さを上げ、且つぶつかる時に一体式の防護を形成でき、防護の強度を上げ、そのため、該設備は比較的に高い使用価値と普及価値を有する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の高強度の安全靴の全体構成模式図
【図２】図２は図１のＡの構成模式図
【図３】図３は図１のＢの構成模式図
【図４】図４は図１のＣの構成模式図
【発明を実施するための形態】
【００１３】
図１〜４に示すように、正面視で左側に電力を貯蔵できる電池１３があり、右側にスタンド１４がある高強度の安全靴は、靴１１を含み、前記靴１１の中には動力チャンバ３１が設置され、前記動力チャンバ３１の右壁の中には発電チャンバ３９が設置され、前記電池１３が前記発電チャンバ３９の右壁の中に固定的に設置され、前記発電チャンバ３９の中には電力を生じる発電装置１００が設置され、前記動力チャンバ３１の中には、前記発電装置１００を駆動して回転させ、更に前記発電装置１００に電気エネルギーを生じさせることができる動力装置２００が設置され、前記靴１１の靴底及び脚の甲の部分にはそれぞれ十組の前記スタンド１４が設置され、前記スタンド１４の中には収納チャンバ６２が設置され、前記収納チャンバ６２の中には上下対称的に、且つスライドできるロックラック７６が設置され、前記スタンド１４には隣り合った前記スタンド１４の中の前記ロックラック７６を連結できる下ロック溝７７が設置され、前記収納チャンバ６２の中には前記ロックラック７６を駆動して左右にスライドさせるロック装置３００が設置され、更に十組の前記スタンド１４を結んで一体になり、全体の構造の強度を上げ、前記収納チャンバ６２の頂壁の中には駆動チャンバ６６が設置され、前記駆動チャンバ６６の中には前記ロック装置３００を駆動して作動させることができる駆動装置４００が設置され、前記駆動チャンバ６６の頂壁の中には触発チャンバ４８が設置され、前記靴11の脚の甲にある前記触発チャンバ４８の中には重い物がぶつかる状態のあるかどうかを測ることができる触発装置５００が設置されている。    
【００１４】
有益的には、前記動力装置２００は前記動力チャンバ３１の中の上下両側壁の中に設置されたスライド板１５を含み、前記スライド板１５のうち前記動力チャンバ３１に近接している一端には動力ラック１６が設置され、更に発電に必要な動力を提供し、前記動力チャンバ３１の中には主動軸１９が設置され、前記主動軸１９の後端には前記動力ラック１６と噛み合っている主動ギヤ１７が設置され、前記主動軸１９の前端には主動プーリ１８が設置され、前記動力チャンバ３１の中には従動軸３５が設置され、前記従動軸３５の後端には前記発電装置１００を駆動して回転させることができる発電ベベルギヤ３３が設置され、前記従動軸３５の前端には従動プーリ３４が設置され、前記従動プーリ３４と前記主動プーリ１８との間には発電ベルト３０が伝動できるように設置され、前記発電装置１００は前記発電チャンバ３９の中に設置された加速軸４４を含み、前記加速軸４４の外壁には前記動力チャンバ３１の中に位置しており、且つ前記発電ベベルギヤ３３と噛み合っている順方向ベベルギヤ３２が設置され、更に前記加速軸４４を駆動して順方向へ回転させることができ、前記加速軸４４の外壁には前記動力チャンバ３１の中に位置しており、且つ前記発電ベベルギヤ３３と噛み合っている逆方向ベベルギヤ３６が設置され、更に前記逆方向ベベルギヤ３６を駆動して逆方向へ回転させることができ、前記加速軸４４の右端には前記発電チャンバ３９の中に位置しているリングギヤ４１が設置され、前記発電チャンバ３９の中には発電軸４０が設置され、前記発電軸４０の左端には太陽ギヤ４３が設置され、前記太陽ギヤ４３と前記リングギヤ４１との間には遊星ギヤ４２が伝動できるように設置され、前記発電軸４０の右端には磁力線を提供することができる永久磁石３８が設置され、前記発電チャンバ３９の中には電流を生じることができるコイル３７が設置されている。
【００１５】
有益的には、前記駆動装置４００は前記駆動チャンバ６６の中に設置された駆動軸６８を含み、前記駆動軸６８の底端は前記駆動チャンバ６６の底壁の中に固定的に設置されたモータ６９と動力が伝達できるように連結され、前記駆動軸６８の頂端には駆動ギヤ６７が設置され、前記駆動チャンバ６６の中には伝動軸８５が設置され、前記伝動軸８５の頂端には片方向ベベルギヤ７１が設置され、前記伝動軸８５の底端には前記収納チャンバ６２の中に位置している正ベベルギヤ７８が設置され、前記伝動軸８５の外壁には前記駆動チャンバ６６の中に位置しており、且つ前記駆動ギヤ６７と噛み合っている従動ギヤ７０が設置されている。
【００１６】
有益的には、前記ロック装置３００は前記収納チャンバ６２の中に設置され、且つ前記ロックラック７６を駆動して左右にスライドさせることができる往復ギヤ７９を含み、前記収納チャンバ６２の中には後端が前記往復ギヤ７９と固定的に連結された往復軸８１が設置され、前記往復軸８１の前端には前記正ベベルギヤ７８と噛み合っている副ベベルギヤ８０が設置され、前記触発チャンバ４８の底壁の中には回収チャンバ５２が設置され、前記回収チャンバ５２の底壁の中には収納溝８３が設置され、前記収納溝８３の中にはスライドできるロックブロック５７が設置され、前記収納溝８３の右壁の中には上ロック溝５８が設置され、更に隣り合った前記ロックブロック５７と連結し、更に隣り合った前記スタンド１４の上部を一体になるように固定し、前記ロックブロック５７のうち前記上ロック溝５８に近接している一端と前記収納溝８３のうち前記上ロック溝５８に近接している一端との間には圧力ばね８４が弾性を持つように設置され、前記駆動チャンバ６６の中には収納軸７３が設置され、前記収納軸７３の前端には前記片方向ベベルギヤ７１と噛み合っている従動ベベルギヤ７２が設置され、更に前記収納軸７３を駆動して回転させ、前記収納軸７３の後端には第一リール７４が設置され、前記第一リール７４と前記ロックブロック５７との間は収納ひも７５により連結され、更に前記ロックブロック５７を駆動して左右にスライドさせる。
【００１７】
有益的には、前記触発装置５００は前記触発チャンバ４８の中に設置されたスライドできる触発板４５を含み、前記触発板４５と前記触発チャンバ４８のうち前記動力チャンバ３１に近接している片側端壁との間には復帰ばね４７が弾性を持つように設置され、前記触発板４５のうち前記触発チャンバ４８に近接している一端には触発ラック４６が設置され、前記収納溝８３のうち前記触発チャンバ４８に近接している側壁の中にはリミットチャンバ５５が設置され、前記リミットチャンバ５５の中には前記ロックブロック５７と引っかかるように連結されたスライドできるリミットブロック５６が設置され、更に前記ロックブロック５７のスライドを制限でき、前記リミットブロック５６のうち前記触発チャンバ４８に近接している一端と前記リミットチャンバ５５のうち前記触発チャンバ４８に近接している一端との間には押圧ばね５４が弾性を持つように設置され、前記回収チャンバ５２の中には触発軸５０が設置され、前記触発軸５０の後端には第二リール５１が設置され、前記第二リール５１と前記リミットブロック５６との間はリミットひも５３により連結され、更に前記リミットブロック５６を連動させて上下にスライドさせ、更に前記ロックブロック５７の左右にスライドすることを制御し、前記触発軸５０の前端には前記触発ラック４６と噛み合っている触れギヤ４９が設置され、更に前記触発軸５０を駆動して回転させ、前記回収チャンバ５２の中には第三リール６４が設置され、前記第三リール６４が前記リミットひも５３と連結され、前記上ロック溝５８の中にはスライドできる頂板５９が設置され、前記頂板５９のうち前記ロックブロック５７に近接している一端の壁の中には同期溝８６が設置され、前記同期溝８６の中には前記頂板５９と固定的に連結された同期ラック６０が設置され、前記同期ラック６０と前記同期溝８６との間には推しばね６１が弾性を持つように設置され、前記回収チャンバ５２の中には前記同期ラック６０と噛み合っている同期ギヤ６３が設置され、前記同期ギヤ６３と前記第三リール６４との間はベルト６５により動力が伝達できるように連結され、更に十組の前記スタンド１４の中のロック装置３００が同時に作動することを保証し、タイムリーに労働者の足を保護する。
【００１８】
初期状態の時、ロックブロック５７が完全に収納溝８３の中に位置しており、ロックラック７６が完全に収納チャンバ６２の中に位置している。
【００１９】
該設備を使用する時、人が歩く過程の中で、スライド板１５が上下にスライドして更に動力ラック１６により主動ギヤ１７を連動させて回転させ、更に主動ギヤ１７が主動軸１９と、主動プーリ１８と、従動プーリ３４と、従動軸３５と、発電ベベルギヤ３３と、順方向ベベルギヤ３２又は逆方向ベベルギヤ３６と、加速軸４４と、リングギヤ４１と、遊星ギヤ４２と、太陽ギヤ４３と、発電軸４０とにより永久磁石３８を連動させて回転させ、更に永久磁石３８とコイル３７とが相対運動して電気エネルギーを生じて電池１３の中に貯蔵する。
【００２０】
人の足が衝撃を受けた時、触発板４５が下方へスライドし、更に触発ラック４６により触れギヤ４９を連動させて回転させ、更に触発軸５０と第二リール５１とによりリミットブロック５６を連動させて上方へスライドさせ、且つロックブロック５７との連結から離脱させ、ロックブロック５７が収納溝８３から離れた方向へスライドし、隣り合ったスタンド１４の中の上ロック溝５８と連結され、更に頂板５９を推し動かして同期溝８６に近接した方向へスライドさせ、更に同期ギヤ６３とベルト６５とにより第三リール６４を連動させて回転させ、更にリミットひも５３により隣り合ったスタンド１４の中のリミットブロック５６を連動させて上方へスライドさせ、更に隣り合ったスタンド１４の中のロックブロック５７がスライドし、同時に、モータ６９が順方向へ作動して駆動軸６８と、駆動ギヤ６７と、従動ギヤ７０と、伝動軸８５と、正ベベルギヤ７８と、副ベベルギヤ８０と、往復軸８１と、往復ギヤ７９とによりロックラック７６を連動させて収納チャンバ６２から離れた方向へスライドさせ、隣り合ったスタンド１４の中の下ロック溝７７と連結させる。
【００２１】
人が防護を解除する時、モータ６９が逆方向へ作動して且つ駆動軸６８と、駆動ギヤ６７と、従動ギヤ７０と、伝動軸８５と、正ベベルギヤ７８と、副ベベルギヤ８０と、往復軸８１と、往復ギヤ７９とによりロックラック７６を連動させて収納チャンバ６２に近接した方向へスライドさせ、同時に、伝動軸８５が従動ギヤ７０と、従動ベベルギヤ７２と、収納軸７３と、第一リール７４と、収納ひも７５とによりロックブロック５７を連動させて収納溝８３に近接した方向へスライドさせる。
【００２２】
本発明の有益効果は：本発明は構成が簡単で、操作が便利で、メインテナンスが便利で、該設備が歩く過程の中で、人の足が曲がることに便利を与え、歩く時の快適さを上げ、且つぶつかる時に一体式の防護を形成でき、防護の強度を上げ、そのため、該設備は比較的に高い使用価値と普及価値を有する。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。